(57)【要約】【課題】  スピンドル支持体の確実で部分的や対的固定を可能とすること。【解決手段】  リング式紡績機にてスピンドル支持体（８、１２、１３）をスピンドル支持ブリッジ（５）への固定を容易にして簡略化するために、スピンドル支持ブリッジ（１５）がその端部にてフォーク状形式に分割され、このフォーク端部（１７）に配列された収容部（１４）があらゆる場合にリング式紡績機に設けられたスピンドル間隔（１１’１１”）では自由のままである窓内のスピンドル支持体と係合されることが企図されている。
2008510897.tif 000002
【特許請求の範囲】
【請求項１】
両側面には少なくとも各一つのスピンドル軸受ケーシングを受けて中間コラムから中間コラムまで延びるスピンドル支持体が走行するリング式紡績フレーム用のスピンドル支持ブリッジにおいて、スピンドル支持体（８）用のスピンドル支持ブリッジ（５）の端部はフォーク状形式に分割され、各場合のフォーク端部（１７）に配列された収容部（１４）がスピンドル支持体を二つのスピンドル支持体の結合部に隣接するスピンドル（９’）と最も近いスピンドル（９”）の間に保持することを特徴とするスピンドル支持ブリッジ。
【請求項２】
スピンドル支持体（８）は円筒状であることを特徴とする請求項１に記載のスピンドル支持ブリッジ。
【請求項３】
各場合には、二つのスピンドル支持体（８）は一方を他方の上に垂直方向に配列されることを特徴とする請求項１に記載のスピンドル支持ブリッジ。
【請求項４】
収容部（１４）が締付け結合部（１５、１６）として形成されていることを特徴とする請求項１に記載のスピンドル支持ブリッジ。
【請求項５】
収容部（１４）がスピンドル支持体（８）の窓に係合して、窓はあらゆる場合にリング式紡績機に設けられたスピンドル間隔（１１’１１”）で自由なままであり、収容部がこの窓より幅広くはないことを特徴とする請求項１に記載のスピンドル支持ブリッジ。
【発明の詳細な説明】
【技術分野】
【０００１】
この発明は、両側面には少なくとも各一つのスピンドル軸受ケーシングを受けて中間コラムから中間コラムまで延びるスピンドル支持体が走行するリング式紡績フレーム用のスピンドル支持ブリッジに関する。
【背景技術】
【０００２】
スピンドル支持体は任意の形状を有し得る。好ましくは、無論、スピンドル支持体を円筒状に、特にねじり抵抗をもち安価な半製品である管として形成することを企図されている。しかしながら、管自体と管に配列されたスピンドル軸受ケーシングの両方が正しい位置に据え付けられ、この位置を保持し、即ち管軸線を中心に回転しないことを保証するために、スピンドル支持体としての個別の管は無論、幾つかのタイプの機械加工を必要とする。そのような加工は、更に好ましくは、二つのスピンドル支持体を特に垂直に上下に配列することを企図されることによって回避される。この両スピンドル支持体は円筒状に形成され、スピンドル支持体自体とその支持体に配置されたスピンドル軸受ケーシングが任意のスピンドル間隔に締付けによって固定され得る。
【０００３】
この種のスピンドル支持体は東ドイツ特許第２９７９７号明細書（特許文献１）において開示されている。しかし、この刊行物は、どのようにスピンドル支持体がリング式紡績機の架台に固定されるべきであるかの指示を採用していない。
【０００４】
このスピンドル支持体の断面は、それぞれにセクションの長さ、つまり中間コラムから中間コラムまでにわたり延びており、スピンドル支持体がそれぞれにスピンドル支持ブリッジによって固定されている。スピンドル支持体の固定は結合部を重ねるようには行われない、というのは、それぞれのスピンドル支持体から四つのスピンドル支持体までの同時組立ては補助装置なしに不可能であるからである。スピンドル支持体用の締付け装置を結合部にて分割するために、これは、僅かに利用する空間によって二つのスピンドル軸受ケーシングの間に特に小さいスピンドル分割の際に非常に弱くなった。
【特許文献１】東ドイツ特許第２９７９７号明細書
【特許文献２】ドイツ特許第８９９６０８号明細書
【発明の開示】
【発明が解決しようとする課題】
【０００５】
この発明の課題は、この種のスピンドル支持体の確実で部分的固定や対的固定を可能とすることにある。
【課題を解決するための手段】
【０００６】
この発明の課題は、スピンドル支持ブリッジをフォーク状に分割し、スピンドル支持体用の収容部が結合部に隣接したスピンドル軸受ケーシングとそれぞれ次のスピンドル軸受ケーシングの間でスピンドル支持体に係合させることによって解決される。この方法では、リング式紡績機に沿って相前後して継続するスピンドル支持体或いはスピンドル支持体対はそれぞれにそれ自体に組み立てられ、必要に応じて分解される。
【発明の効果】
【０００７】
この発明の利点は、スピンドル支持体が任意の形状、およそ角状或いはＴ字状を有するときに、既に与えられている。けれども、その利点は、スピンドル支持体が円筒状であり、特にそれぞれ二つのスピンドル支持体が好ましくは上下に配置されるならば、明白になる。この種のスピンドル支持体はそれ自体並びにスピンドル支持体に配置されたスピンドル軸受ケーシングの確実な固定のために加工を必要としない。この固定は好ましくは締付けによって行われる。
【０００８】
リング式紡績機に設けられたすべてのスピンドル間隔用の単一スピンドル支持ブリッジが挿入できるならば、これから、すべての設けられたスピンドル間隔ではスピンドル軸受ケーシングによって覆われている収容部、即ちスピンドル支持体用締付け装置を窓からの間隔で配置する別の課題が明らかになる。この課題も、主特許請求項の特徴事項によって解決される。
【発明を実施するための最良の形態】
【０００９】
図面の図には、この発明の実施例が図示されている。
【実施例】
【００１０】
図１か認識できるように、リング式紡績機の中間コラム１は脚部材２を有し、その脚部材から二つのコラム管３が上方へ延びて上部材４を支持する。この上部材は図示されていない区分機構とリング式紡績機の格子とを支持する。リングバンク、糸案内、スピンドル駆動部と作動部材のようなリング式紡績機の別の作業部材は見易さのために半分しか図示されていない。この種の中間コラムは例えばドイツ特許第８９９６０８号明細書（特許文献２）から知られている。
【００１１】
コラム管３には、スピンドル支持ブリッジ５が固定され、好ましくはしっかりと固定される。図２によると、この固定はコラム管に対してねじ込みできる止めねじ６によって行われる。図３によると、スピンドル支持ブリッジ５が垂直な平面において分割されていて、両側面からコラム管に対して当接できることによって固定が行われ得る。スピンドル支持ブリッジはボルト７のような結合要素によってコラム管３に固定される。この選択肢はスピンドル支持ブリッジが後から組立てできて、容易に交換できるという利点を有する。
【００１２】
このスピンドル支持ブリッジ５には、スピンドル支持体８が配置されていて、このスピンドル支持体はスピンドル軸受ケーシング９用の支持体として用いられる。このスピンドル軸受ケーシングにはスピンドルが支承されていて、ここではスピンドル支持ケーシングに差し込まれたコップ１０が図示されている。スピンドル軸受ケーシング９はそれぞれのスピンドル間隔１１’１１”でスピンドル支持体８にしっかりと固定される。
【００１３】
このスピンドル支持体８は好ましい実施態様では二つの垂直に上下に配置された管１２と１３から成り、これら管は中間コラム１から中間コラムまで延びていて、結合部（衝突箇所）が図２と３に示されている。これら管１２、１３は収容部１４を介してスピンドル支持ブリッジ５に固定されている。締付け結合部として形成された収容部１４はスピンドル支持ブリッジの半円筒状軸受シェル１５と、管１２、１３を軸受シェルに対して押圧してスピンドル支持ブリッジにねじ止めできる締付け部材１６とから成る。
【００１４】
収容部１４はスピンドル支持体８の結合部を介して両これら結合部に隣接したスピンドル支持ケーシングの間に配置されていない。むしろ、スピンドル支持ブリッジ５はこの発明によると端面でフォーク状に形成されている。フォークアーム１７はそれぞれに一つの収容部１４を有し、それら収容部が管１２、１３の結合部に隣接したスピンドル軸受ケーシング９’とそれぞれの次のスピンドル軸受ケーシング９”の間で管に係合する。
【００１５】
この場合には、フォークアーム１７の両収容部１４の対向間隔は、収容部がスピンドル軸受ケーシング９のすべての設けられた間隔距離１１’１１”では自由のままである窓に係合するように選定される。この措置はすべての設けられた間隔距離では同じスピンドル支持ブリッジ５が使用できるという利点を有する。
【００１６】
それ故に、図２は最大に設けられたスピンドル間隔１１’の例を示し、このスピンドル間隔では収容部１４が密に管１２、１３の結合部に隣接したスピンドル軸受ケーシング９’に係合する。それに対して、図３では、最小に設けられたスピンドル間隔１１”が図示されていて、このスピンドル間隔では収容部が密に次のスピンドル軸受ケーシング９”に係合する。収容部１４が前記窓より幅広くされるべきではないことがわかる。
【図面の簡単な説明】
【００１７】
【図１】リング式紡績機を通る概略的横断面を示す。
【図２】第一の大きなスピンドル間隔を備えるスピンドル支持ブリッジの締付け領域の平面図を示す。
【図３】第二の小さいスピンドル間隔を備えるスピンドル支持ブリッジの締付け領域の平面図を示す。
【符号の説明】
【００１８】
１．．．．．中間コラム
２．．．．．脚部材
３．．．．．コラム管
４．．．．．上部材
５．．．．．スピンドル支持ブリッジ
６．．．．．止めねじ
７．．．．．ボルト
８．．．．．スピンドル支持体
９．．．．．スピンドル軸受ケーシング
１０．．．．コップ
１１．．．．スピンドル間隔
１２、１３．．．管
１４．．．．収容部
１５．．．．軸受シェル
１６．．．．締付け部材
１７．．．．フォークアーム
【図１】
2008510897.tif 000003
【図２】
2008510897.tif 000004
【図３】
2008510897.tif 000005
【国際調査報告】
2008510897.tif 000006
2008510897.tif 000007
2008510897.tif 000008
2008510897.tif 000009
2008510897.tif 000010
2008510897.tif 000011